(57)【要約】      （修正有）【課題】同時に複数の薄葉紙を利用することができ、複数の利用者が同時に薄葉紙を利用することができ、一般的な容器と比較して、収容できる薄葉紙の枚数が多い薄葉紙用容器を提供する。【解決手段】直方体の紙箱である薄葉紙用容器は、上面に、薄葉紙２が引っ張り出される際に通る引出し口２５が形成されている。引出し口２５は、単一の開口部２６と、この開口部２６に貼り付けられたフィルム部２７とを有している。フィルム部２７は、二つの切込み部２８が形成されている。【選択図】図２
0003218569.tif 000002
【実用新案登録請求の範囲】
【請求項１】
積層された薄葉紙が収容される薄葉紙用容器であって、
薄葉紙が引っ張り出される際に通る引出し口が複数形成された、
ことを特徴とする薄葉紙用容器。
【請求項２】
前記複数の引出し口が、一つの面に形成された、
ことを特徴とする請求項１に記載された薄葉紙用容器。
【請求項３】
単一の前記引出し口が、
単一の開口部と、
前記開口部に備えられて単一の切込み部が形成された単一のフィルム部と、から構成され、
前記引出し口を二つ有する、
ことを特徴とする請求項１または請求項２に記載された薄葉紙用容器。
【請求項４】
前記複数の引出し口が、
一つの面に開口された単一の開口部と、
前記開口部に備えられて二つの切込み部が形成された単一のフィルム部と、から構成された、
ことを特徴とする請求項１または請求項２に記載された薄葉紙用容器。
【請求項５】
紙製またはプラスチック製である、
ことを特徴とする請求項１から請求項４のいずれか１項に記載された薄葉紙用容器。
【請求項６】
請求項１から請求項５のいずれか１項に記載された薄葉紙用容器と、
前記引出し口ごとに前記薄葉紙用容器に収容された薄葉紙と、を有する、
ことを特徴とする薄葉紙収容体。
【請求項７】
上方から視した前記薄葉紙用容器の大きさに相当する前記薄葉紙が、二つ折りされている、
ことを特徴とする請求項６に記載された薄葉紙収容体。
【請求項８】
上方から視した前記薄葉紙用容器の大きさの二倍に相当する前記薄葉紙が、四つ折りされている、
ことを特徴とする請求項６に記載された薄葉紙収容体。
【考案の詳細な説明】
【技術分野】
【０００１】
本考案は、ティッシュペーパーなどの薄葉紙が収容される薄葉紙用容器および薄葉紙収容体に関するものである。
【背景技術】
【０００２】
従来、積層されたティッシュペーパーなどの薄葉紙が収容される薄葉紙用容器は、下記特許文献１に記載されているとおり、紙製の箱であり、上面に形成された単一の引出し口から薄葉紙が一枚ずつ引っ張り出される。
【先行技術文献】
【特許文献】
【０００３】
【特許文献１】登録実用新案第３２０６８６１号公報
【考案の概要】
【考案が解決しようとする課題】
【０００４】
しかし、特許文献１に記載された容器を含めて、一般的な容器は、例えば、こぼれた液体の払拭や突発的な切傷の止血などにおいて、一度に複数の薄葉紙を要する場合であっても、引き出される薄葉紙は一枚ずつであるため、連続して薄葉紙を一枚ずつ引き出し続ける必要がある。また、一般的な容器は、複数の利用者が薄葉紙を利用する場合、利用者ごとに順番に引出し口から薄葉紙を引っ張り出す必要がある。換言すれば、複数の利用者が同時に薄葉紙を引っ張り出すことはできない。さらに、一般的な容器は、収容できる薄葉紙の枚数に限界がある。
【０００５】
本考案は、上記の実情に鑑みて提案されたものである。すなわち、同時に複数の薄葉紙を利用することができ、また、一般的な容器と比較して、収容できる薄葉紙の枚数が多い薄葉紙用容器および薄葉紙収容体の提供を目的とする。
【課題を解決するための手段】
【０００６】
上記目的を達成するために、本考案に係る薄葉紙用容器は、積層された薄葉紙が収容される薄葉紙用容器であって、薄葉紙が引っ張り出される際に通る引出し口が複数形成された、ことを特徴とする。
【０００７】
本考案に係る薄葉紙用容器は、前記複数の引出し口が、一つの面に形成された、ことを特徴とする。
【０００８】
本考案に係る薄葉紙用容器は、単一の前記引出し口が、単一の開口部と、前記開口部に備えられて単一の切込み部が形成された単一のフィルム部と、から構成され、前記引出し口を二つ有する、ことを特徴とする。
【０００９】
本考案に係る薄葉紙用容器は、前記複数の引出し口が、一つの面に開口された単一の開口部と、前記開口部に備えられて二つの切込み部が形成された単一のフィルム部と、から構成された、ことを特徴とする。
【００１０】
本考案に係る薄葉紙用容器は、紙製またはプラスチック製である、ことを特徴とする。
【００１１】
本考案に係る薄葉紙収容体は、薄葉紙用容器と、前記引出し口ごとに前記薄葉紙用容器に収容された薄葉紙と、を有する、ことを特徴とする。
【００１２】
本考案に係る薄葉紙収容体は、上方から視した前記薄葉紙用容器の大きさに相当する前記薄葉紙が、二つ折りされている、ことを特徴とする。
【００１３】
本考案に係る薄葉紙収容体は、上方から視した前記薄葉紙用容器の大きさの二倍に相当する前記薄葉紙が、四つ折りされている、ことを特徴とする。
【考案の効果】
【００１４】
本考案に係る薄葉紙用容器は、薄葉紙が引っ張り出される際に通る引出し口が複数形成されている。この構成により、引出し口ごとに薄葉紙が配置される。したがって、各引出し口から別々に薄葉紙が引っ張り出され、同時に複数の薄葉紙を利用することができ、また、複数の利用者が同時に薄葉紙を利用することができる。また、引出し口ごとに薄葉紙を収容することができるため、引出し口が単一である一般的な容器と比較して、収容できる薄葉紙の枚数が多い。
【００１５】
本考案に係る薄葉紙用容器は、複数の引出し口が、一つの面に形成されている。この構成により、同一の面において、引出し口ごとに薄葉紙が配置される。したがって、同時に複数の薄葉紙を利用することができ、また、複数の利用者が、同じ方向から同時に薄葉紙を引っ張り出すことができる。
【００１６】
本考案に係る薄葉紙用容器は、単一の引出し口が、単一の開口部と、開口部に備えられて単一の切込み部が形成された単一のフィルム部と、から構成され、前記引出し口を二つ有している。したがって、同時に複数の薄葉紙を利用することができる。
【００１７】
本考案に係る薄葉紙用容器は、複数の引出し口が、一つの面に開口された単一の開口部と、開口部に備えられて二つの切込み部が形成された単一のフィルム部と、から構成されている。開口部やフィルム部が単一であるため、複数の開口部やフィルム部が形成された場合と比較して、構成が簡便である。
【００１８】
本考案に係る薄葉紙用容器は、紙製またはプラスチック製である。したがたって、構成が簡便である。
【００１９】
本考案に係る薄葉紙収容体は、上記した薄葉紙用容器と、引出し口ごとに薄葉紙用容器に収容された薄葉紙とを有している。したがって、各引出し口から別々に薄葉紙が引っ張り出され、同時に複数の薄葉紙を利用することができ、また、複数の利用者が同時に薄葉紙を利用することができる。また、引出し口ごとに薄葉紙が収容されているため、引出し口が単一である一般的な容器と比較して、多くの薄葉紙を収容することができる。
【００２０】
本考案に係る薄葉紙収容体は、上方から視した薄葉紙用容器の大きさに相当する薄葉紙が、二つ折りされている。したがって、比較的小さな薄葉紙を収容することができる。
【００２１】
本考案に係る薄葉紙用容器は、上方から視した薄葉紙用容器の大きさの二倍に相当する薄葉紙が、四つ折りされている。したがって、比較的大きな薄葉紙、または、一般的な大きさの薄葉紙を収容することができる。
【図面の簡単な説明】
【００２２】
【図１】図１は、本考案の第一実施形態に係る薄葉紙収容体の外観図である。
【図２】図２は、本考案の第二実施形態に係る薄葉紙収容体の外観図である。
【考案を実施するための形態】
【００２３】
以下、本考案の第一実施形態に係る薄葉紙用容器を用いた薄葉紙収容体を図面に基づいて説明する。図１は、薄葉紙収容体１の外観が示されている。なお、以下の説明では、図１に示されているとおり、薄葉紙用容器の設置面を底面、反対側を上面とし、他の面を正面、背面、右側面、左側面とする。
【００２４】
図１に示されているとおり、薄葉紙収容体１は、単一の薄葉紙２が複数積層された状態の薄葉紙積層体３と、この薄葉紙積層体３が収容された薄葉紙用容器４とを有している。
【００２５】
薄葉紙２は、例えば、四角形や長方形などの方形である。薄葉紙２は、例えばティッシュペーパーであれば、湿潤紙力増強剤などの樹脂によってパルプ繊維同士や古紙原料同士が接着されている。上下に積層された薄葉紙２の一部は、互い違いに重なり合っている。すなわち、例えば、一枚の薄葉紙２を、右半分と左半分とに区分して説明すれば、一枚目の薄葉紙２の左半分の上に、二枚目の薄葉紙２の右半分が重ねられる。一枚目の薄葉紙２の右半分が折られて、二枚目の薄葉紙２の右半分の上に重ねられる。二枚目の薄葉紙２の右半分の上に、三枚目の薄葉紙２の左半分が重ねられる。二枚目の薄葉紙２の左半分が折られて、三枚目の薄葉紙２の左半分の上に重ねられる。このような構造が繰り返されることで複数の薄葉紙２が積層されている。
【００２６】
薄葉紙用容器４は、ほぼ直方体であり、例えば、紙製の箱である。薄葉紙用容器４の上面は、薄葉紙２が引っ張り出される際に通る引出し口５が二つ形成され、各引出し口５は、長手方向に縦列している。単一の引出し口５は、単一の開口部６と、この開口部６に貼り付けられた単一のフィルム部７とを有している。開口部６は、長円形状であり、長手方向において、薄葉紙用容器４の半分よりも短い。フィルム部７は、例えば、ポリプロピレン、ポリスチレン、ポリアミドなどであり、単一の切込み部８が形成されている。切込み部８は、直線状である。フィルム部７は、薄葉紙用容器４の上面の裏側に貼り付けられ、開口部６を覆っている。切込み部８は、開口部６のほぼ中央に配置されている。なお、薄葉紙用容器４は、例えば、プラスチック製のフィルムなどであってもよく、この場合、フィルム部７は不要となる。
【００２７】
薄葉紙積層体３は、引出し口５ごとに薄葉紙用容器４に収容され、薄葉紙２が切込み部８を通って外側に露出している。
【００２８】
次に、本考案の第二実施形態に係る薄葉紙用容器２４を用いた薄葉紙収容体２１を図面に基づいて説明する。図１は、薄葉紙収容体２１の外観が示されている。なお、以下では、第一実施形態に係る薄葉紙収容体１と異なる構成が説明され、同様の構成は、適宜説明が省略されている。
【００２９】
図２に示されているとおり、薄葉紙収容体１は、上面に開口された単一の開口部２６と、この開口部２６に貼り付けられたフィルム部２７とを有している。開口部２６は、長円形状であり、長手方向において、薄葉紙用容器２４のほぼ全長に渡っている。フィルム部２７は、二つの切込み部２８が形成されている。各切込み部２８は独立しており、各切込み部２８の間は連接されている。
【００３０】
以上のとおり、薄葉紙用容器２４を用いた薄葉紙収容体２１が構成されている。
【００３１】
上記した各実施形態において、薄葉紙２の大きさは任意である。例えば、薄葉紙２は、薄葉紙用容器２，２４の上面の大きさに相当し、一般的なティッシュペーパー（例えば、２００ｍｍ×２３０ｍｍ）の半分程度の大きさであってもよい。薄葉紙用容器２，２４が、一般的なボックスティッシュの箱と同じ大きさであれば、薄葉紙２は、二つ折りされて薄葉紙用容器２，２４に収容される。また、薄葉紙２は、薄葉紙用容器２，２４の上面の大きさの二倍に相当し、一般的なティッシュペーパーと同じ大きさであってもよい。薄葉紙用容器２，２４が、一般的なボックスティッシュの箱と同じ大きさであれば、薄葉紙２は、四つ折りされて薄葉紙用容器２，２４に収容される。なお、本発明における「相当」とは、薄葉紙２が薄葉紙用容器２，２４に収容されることを前提として、大きさが近似することをいう。常識からすれば、薄葉紙２は薄葉紙用容器２，２４よりも小さい。
【００３２】
次に、薄葉紙用容器４，２４および薄葉紙収容体１，２１の効果を説明する。
【００３３】
薄葉紙用容器２，２４は、薄葉紙２が引っ張り出される際に通る複数の引出し口５，２５が上面に形成されている。この構成により、引出し口５，２５ごとに薄葉紙２が配置される。したがって、各引出し口５から別々に薄葉紙２が引っ張り出され、複数の利用者が同時に薄葉紙２を利用することができる。また、引出し口５ごとに薄葉紙２を収容することができるため、収容できる薄葉紙積層体３が二倍となる。
【００３４】
薄葉紙用容器２４は、複数の引出し口５が、上面に開口された単一の開口部２６と、この開口部２６に貼り付けられたフィルム部２７とを有している。フィルム部２７は、二つの切込み部２８が形成され、各切込み部２８は独立している。すなわち、開口部２６やフィルム部２７が単一であるため、構成が簡便である。
【００３５】
薄葉紙収容体１，２１は、薄葉紙用容器２，２４と、引出し口５，２５ごとに薄葉紙用容器２，２４に収容された薄葉紙積層体３とを有している。したがって、各引出し口５，２５から別々に薄葉紙２が引っ張り出され、複数の利用者が同時に薄葉紙２を利用することができる。また、引出し口５，２５ごとに薄葉紙積層体３が収容されているため、収容できる薄葉紙積層体３が二倍である。
【００３６】
なお、本発明に係る薄葉紙用容器の他の実施形態（図示省略。）として、引出し口は、三つ以上であってもよく、この場合は、薄葉紙収容体は、三つ以上の薄葉紙積層体が収容される。また、引出し口は、正面、背面、右側面、左側面に形成されていてもよい。また、引出し口は、互いに異なる面に形成されていてもよく、例えば、上面と側面、側面と正面などであってもよい。また、引き出し口ごとに異なる大きさの薄葉紙が収納されていてもよい。すなわち、一方には、一般的な大きさの薄葉紙が四つ折りされて収容され、他方には、半分の大きさの薄葉紙が二つ折りされて収容される。また、第二実施形態の変形例として、フィルム部に単一の長手の切込み部が形成されていてもよい。換言すれば、当該変形例は、二つの切込み部が連続して一つとして形成されている。
【００３７】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３８】
１，２１    薄葉紙収容体
２          薄葉紙
３          薄葉紙積層体
４，２４    薄葉紙用容器
５，２５    引出し口
６，２６    開口部
７，２７    フィルム部
８，２８    切込み部
【図１】
0003218569.tif 000003
【図２】
0003218569.tif 000004